(57)【要約】【課題】所望の通信端末装置の装置情報を入手するための独自のプロトコルを有するリモート端末を不要とし、リモート端末がなくても所望の通信端末装置の装置情報を取得することができるようにする。【解決手段】呼出側の通信端末装置からはＦコード通信機能の掲示板サービス機能により所望の装置情報を要求し、被呼出側の通信端末装置は掲示板サービス機能により要求された装置情報を判定し、要求された装置情報をイメージ情報に展開して生成し呼出側の通信端末装置に送出する手段を設けた。【選択図】    図１
2005039377.tif 000002
【特許請求の範囲】
【請求項１】
装置特有の情報を格納する通信端末装置において、
他の通信端末装置からｌＴＵ−Ｔ勧告Ｔ．３０で規定された通信手順により取得できる情報を格納する格納手段を有し、
前記装置特有の情報は、前記格納手段に格納されることを特徴とする通信端末装置。
【請求項２】
前記格納手段は、掲示板メモリであることを特徴とする請求項１記載の通信端末装置。
【請求項３】
前記格納手段は、メールボックスメモリであることを特徴とする請求項１記載の通信端末装置。
【請求項４】
掲示板機能を有する通信端末装置において、
他の呼出側の通信端末装置から掲示板機能により要求された装置情報を受信して判定する判定手段と、
前記判定手段の結果に基づき要求された装置情報をイメージ情報として展開して生成し前記呼出側の通信端末装置に送出するメッセージ送信手段を設けたことを特徴とする通信端末装置。
【請求項５】
前記イメージ情報の生成のための編集用メモリが、
装置情報の種別を文字データとして予め格納するメッセージテーブルと文字データをラスタデータに展開するフォントテーブルからなる読取専用メモリ部と、
各装置情報の設定値を格納する設定値格納エリアと、送出する１行分の文字情報を格納する１行分編集バッファと、ラインデータに展開したデータを格納する１ラインバッファからなる書き込み可能なメモリ部から構成されることを特徴とする請求項４記載の通信端末装置。
【発明の詳細な説明】
【０００１】
【発明の属する技術分野】
本発明は、ファクシミリ装置等の通信端末装置における装置情報の収集に関するものである。
【０００２】
【従来の技術】
従来、通信端末装置、例えばファクリミリ装置などの装置情報（設定情報、登録情報、通信履歴情報、或いは各種カウンタ情報など）を収集するには、操作者が通信端末装置を操作することで直接的に装置情報を得る方法、及び遠隔地或いは近傍に別に設置した通信端末装置（以下、「リモート端末」という）の操作により取得したい通信端末装置の装置情報を得る方法が採られていた。そして、通信端末装置から直接的に装置情報を得る方法は主として操作者が通信端末装置の運用状況を知るために使用し、印刷機能を用いたレポート印刷や表示機能を用いたディスプレイ表示などにより情報を得ていた。
【０００３】
また、リモート端末から装置情報を得る方法は、主として通信端末装置のメンテナンスサービスを行うときに使用し、リモート端末側での印刷機能を用いたレポート印刷や表示機能を用いたディスプレイ表示などにより情報を得ていた。そして、リモート端末と通信端末装置との間では、予め決められた独自のプロトコルにより通信を行い、予め決められたデータフォーマットによりデータを授受することにより装置情報を取得していた。
【０００４】
図１２に上記リモート端末から通信端末装置の端末情報を取得する通信プロトコル、図１３、図１４、図１５に各データフォーマットを示す。図１２は、ＰＳＴＮ（公衆交換電話網）やＩＳＤＮ（総合デジタル通信網）などの公衆交換電話網に接続されているリモート端末と通信端末装置の間で行われるプロトコルを示している。以下に図１２〜図１５を用いて従来の通信端末装置の通信手順を説明する。
【０００５】
まず、呼出し信号によりリモート端末１３が通信端末装置１４を選択する（ステップＳ４０）。呼出し信号により通信端末装置は国際電気通信連合電気通信標準化部門（以下、「ＩＴＵ−Ｔ」という）のＩＴＵ−Ｔ勧告にある勧告Ｔ．３０に定義されたバイナリコード信号であるＤＩＳ（デジタル識別）信号或いはＮＳＦ（非標準装置）信号を返信する。これらの信号はＩＴＵ−Ｔ勧告Ｖ．２１の変調方式を用いて、３００ＢＰＳの同期モードで伝送される（ステップＳ４１）。
【０００６】
ＮＳＦ信号はオプション信号であり、特定の利用者の要求を識別するためにオプションとして用意された信号である。通信端末装置１４の製造業者は、通常、この信号を用いて独自のプロトコルを構築し通信機能を拡張する。例えば、このＮＳＦ信号を用いて、後述のように通信端末装置１４がリモート端末１３からアクセス可能であることを宣言するものとして使用する。
【０００７】
図１３は、ＮＳＦ信号のデータフォーマットであり、ＨＤＬＣ（ハイレベル・データリンク制御手順）フレーム構成となっている。Ｆ（フラグフィールド）４０ａ、４０ｇはそれぞれフレームの開始、終了を表しフレーム同期を確立するためのものであり、Ａ（アドレスフィールド）４０ｂはアドレス情報を伝送するためのものであり、Ｃ（制御フィールド）４０ｃはフレームの機能を識別するためのものであり、ＦＣＦ（ファクシミリ制御フィールド）４０ｄはバイナリ信号の機能を識別するためのものである。
【０００８】
ＦＩＦ（ファクシミリ情報フィールド）４０ｅは通信端末装置の持つ機能情報等を伝送するためのもので、勧告Ｔ．３５で定義された、国コード４１ａ、提供者コード４１ｂ、規定コード４１ｃがセットされ、能力１（４１ｄ）、能力２（４１ｅ）、そして能力Ｎ（４１ｆ）は、通信端末製造業者が自由に付加、定義することのできるエリアである。ＦＣＳ（フレームチェックシーケンス）４０ｆはＡ（４０ｂ）からＦＩＦ（４１ｆ）までの伝送誤りの有無を検出するためのものである。
【０００９】
例えば、ＦＣＦ信号（４０ｄ）にＮＳＦ信号であるという識別コードをセットし、能力１にてファクシミリ装置がリモート端末からのアクセスが可能であるかを宣言する。例えば、可能であれば０１Ｈ（「Ｈ」は１６進コードを示す）、不可能であれば００Ｈとし、１オクテット（１バイトのことをいい、通信分野では、これを「オクテット」という。）を使用してセットする。
【００１０】
ステップＳ４１のもう一つの信号、ＤＩＳ（デジタル識別）信号は通信端末装置１４の機能がＴ．３０勧告であることを表す信号である。
【００１１】
ＮＳＳ（非標準機能設定）信号は通信端末装置１４からのＮＳＦ信号に対応したリモート端末１３からのオプション信号であり、ＮＳＦ信号に含まれた情報に対応したデジタル命令信号である。通信端末の製造業者は、このＮＳＳ信号により独自のプロトコルを構築する。例えば、リモート端末１３が通信端末装置１４に対して通信端末装置１４の装置情報の内、どの種別の装置情報を送信して欲しいかをこのＮＳＳ信号にセットし通信端末装置１４に送信する（ステップＳ４２）。
【００１２】
図１４は、ＮＳＳ信号のデータフォーマットである。ＦＣＦ信号（４２ｄ）には、ＮＳＳ信号であることを示す識別コードがセットされる。ＦＩＦ信号（４２ｅ）には、勧告Ｔ．３５で定義された、国コード４３ａ、提供者コード４３ｂ、規定コード４３ｃがセットされ、命令１（４３ｄ）、命令２（４３ｅ）、そして命令Ｎ（４３ｆ）は、製造業者が自由に付加、定義することのできるエリアであり、リモート端末１３が通信端末装置１４に対して通信端末装置１４の装置情報の内、どの種別の装置情報を送信して欲しいかを命令１（４３ｄ）にて指示する。
【００１３】
例えば、設定情報であれば０１Ｈ、登録情報であれば０２Ｈ、通信履歴情報であれば０４Ｈ、各種カウンタ情報であれば０８Ｈ、装置情報の返送を要求しないのであれば００Ｈのように１オクテットを使用してセットする。その他の信号は、ＮＳＦ信号と同様である。
【００１４】
通信端末装置１４は、前記ＮＳＳ信号によりリモート端末１３から要求された装置情報を設定情報、登録情報、通信情報、各種カウンタ情報等から選択し返信する。（ステップＳ４３）
【００１５】
図１５は装置情報のデータフォーマットであり、各信号は図１３、図１４のＮＳＦ信号、ＮＳＳ信号と同様のバイナリコード信号であり、Ｖ．２１勧告に定義された変調方式の特性を用いて、３００ＢＰＳの同期モードで伝送される。
【００１６】
ＦＣＦ信号（４４ｄ）に装置情報であることを示す識別コードをセットし、ＮＳＳ信号にて装置情報として設定情報が要求された場合はＦＩＦ信号（４４ｅ）に設定１情報（４５ａ）、設定２情報（４５ｂ）、設定３情報（４５ｃ）、そして設定Ｎ情報（４５ｄ）をセットする。例えば、設定１情報に自動受信設定のＯＮ／ＯＦＦ状態がＯＮであれば０１Ｈ、ＯＦＦであれば００Ｈをセットする。
【００１７】
次に、リモート端末１３はステップＳ４３にて装置情報を受信すると、ＤＣＮ（回線切断命令）信号を通信端末装置１４に送信し、呼切断を命令する（ステップＳ４４）。
【００１８】
以上説明した通信手順を用いて操作者は、リモート端末１３により通信端末装置１４の装置情報を受信し、リモート端末１３の印刷機能を用いてレポート印刷したり、表示機能を用いてディスプレイ表示などを行って装置情報を収集していた。
【００１９】
【特許文献１】
特開平６−１０５０４７号公報
【００２０】
【発明が解決しようとする課題】
しかしながら、以上説明した従来の通信端末装置において装置情報を入手するには独自のプロトコルによりデータ通信を行う通信端末装置とリモート端末が必要であり、リモート端末がない場所からは通信端末装置の装置情報の収集を行うことができず、メンテナンス対応に時間を要するという問題があった。
【００２１】
【課題を解決するための手段】
本発明は、前記課題を解決するために次の構成を採用する。すなわち、装置特有の情報を格納する通信端末装置において、他の通信端末装置からｌＴＵ−Ｔ勧告Ｔ．３０で規定された通信手順により取得できる情報を格納する格納手段を設け、前記装置特有の情報を前記格納手段に格納するようにした。
【００２２】
【発明の実施の形態】
以下、本発明に係る実施形態例を、図面を用いて説明する。なお図面に共通する要素には同一の符号を付す。
【００２３】
《実施の形態例》
実施形態例の通信端末装置は、ＩＴＵ−Ｔ勧告Ｔ．３０にて規定された通信サービスであるＦコード通信機能の掲示板サービス機能により要求された通信端末装置の装置情報をイメージデータとして生成し要求元の通信末装置に送信するようにした。
【００２４】
（構成）
図１に実施形態例の通信端末装置の構成を示す。ＣＰＵ１は中央処理装置であり、バス２を介して接続された各部を制御するとともに、後述の通信プロトコルをプログラムにて実行する。ＲＯＭ３は読取専用のメモリでありＣＰＵ１によって実行されるプログラムを予め格納するプログラム格納部である。ＲＡＭ４は書き込み可能なメモリであり、ＣＰＵ１によるプログラム実行時に発生するデータを記憶する。
【００２５】
イメージ読取部５はＣＣＤ等をセンサとしたスキャナ部であり、送信原稿のイメージを読取り、ドットイメージデータに変換するイメージ読取部である。印刷部６は感熱記録方式、電子写真方式などのプリンタから構成され、ファクシミリ通信で受信したイメージデータ等をハードコピーとして印刷出力する。また、モデム７は変復調部であり、ファクシミリ伝送制御手順によるバイナリコードやイメージデータを変復調し、相手先のファクシミリ装置間とデータを交換行う。
【００２６】
ＮＣＵ８は電話網制御部であり、モデム７と公衆交換電話網１０との接続または開放を制御する。操作パネル９は液晶表示装置（ＬＣＤ）やＣＲＴディスプレイなどの表示装置により通信端末装置の状態を表示する表示部と、ファクシミリ装置を操作するために必要なメニューキー、カーソルキー、スタートキー、ダイヤルキーなどを備えた操作部から構成される。
【００２７】
図２は、通信端末装置がメッセージ情報として送出する装置情報のうちの１つである設定情報の構成例を示している。図２の例では通信端末装置の設定情報として、リダイヤル回数設定（２０ａ）が３回、リダイヤルの間隔設定（２０ｂ）が３分、ダイヤル信号設定（２０ｃ）がトーン信号であるＤＴＭＦ信号、ダイヤル回線設定（２０ｄ）が構内回線であることを示している。そして設定情報の種別を表す文字データとして、”ＲＥＤＩＡＬ  ＴＲＩＥＳ”、”ＲＥＤＩＡＬ  ＩＮＴＥＲＶＡＬ”、”ＭＦ／ＤＰ”、”ＰＢＸ”がそれぞれ定義されていることを示す。以降の説明では、装置情報として上記設定情報が要求され、これらの情報を通信端末装置から送出する際の各部構成、動作を例として説明する。
【００２８】
図３はメッセージ情報の編集用メモリの構成図である。メッセージ情報の編集用メモリはメッセージテーブル２１、フォントテーブル２２からなる読取り専用のＲＯＭエリアと、設定値格納エリア２３、１行分編集バッファ２４、１ラインバッファ２５からなる書き込み可能なＲＡＭエリアから構成される。
【００２９】
図４はメッセージテーブル２１の構成を示しており、図２の各設定情報の種別を表す文字データをキャラクタコードにより格納するメモリエリアである。図４は、図２の設定情報のうち最初のリダイヤル回数の設定情報２０ａについてＡ番地よりメッセージテーブルに格納されたデータの例を示している。キャラクタコードとしてはＡＳＣＩＩコードを用いている。空エリアは初期値として予め設定されるスペース（２０Ｈ）が格納されている。同様に以降のリダイヤルの間隔設定（２０ｂ）、ダイヤル信号設定（２０ｃ）、ダイヤル回線設定（２０ｄ）の設定情報がＡＳＣＩＩコードとして格納される。
【００３０】
図５はフォントテーブル２２の構成を示しており、図５に示した例のように各フォントをラスタデータに展開し、フォント種類分、フォント数分、順次格納するメモリエリアである。図５は”０”、”１”のフォントがＢ番地から順次格納されている例を示している。
【００３１】
メッセージテーブル２１、フォントテーブル２２は各通信端末装置において予め決めて置くべき情報であるのでＲＯＭエリアに格納する構成としている。
【００３２】
図６は設定値格納エリア２３の構成を示しており、本図では前述の設定情報をＲＡＭ３のＣ番地から格納した例を示している。各種設定情報は１バイト単位で構成されており、これらの設定情報は、オペレータがメニューキーなどを操作することにより選択し設定した情報である。図６は、設定情報の最初の情報であるリダイヤル回数（２０ａ）の設定値３回の”３”をＣ番地より格納し、リダイヤルの間隔設定（２０ｂ）の設定値３分の”３”、ダイヤル信号設定（２０ｃ）がＤＴＭＦ信号であることを示す”１”、ダイヤル回線設定（２０ｄ）が構内回線であることを示す”１”を順次格納するので、Ｃ番地より０３Ｈ、０３Ｈ、０１Ｈ、０１Ｈが格納されている。
【００３３】
図７は１行分のメッセージ情報を編集し格納する１行分編集バッファ２４の構成を示している。図７に示したように１行分編集バッファ２４はＲＡＭ３のＤ番地から１０８バイトの連続したエリアであり１０８文字分の編集エリアとして使用されるエリアである。  そして、編集の際にはＡＳＣＩＩコードが使用される。
【００３４】
図８は、１ラインバッファ２５の構成例を示している。図８に示めしたように、ＲＡＭ３のＥ番地から２１６バイトの連続したエリアであり、１バイトあたり８ドット分のラスタデータとして格納される。Ｅ番地はメッセージの主走査方向で左端にあたり、Ｅ番地＋２１５バイト目は右端にあたる。この１ラインバッファのデータ編集には、ビット単位で１：黒ドット、０：白ドットとし、１６ドットを使用してＡＳＣＩＩコードの１文字がラスタライズされる。
【００３５】
なお、設定値格納エリア２３、１行分編集バッファ２４、１ラインバッファ２５は、随時変化する値であるのでＲＡＭエリアに格納する構成としている。
【００３６】
（動作）
以上の構成により、実施形態例の通信端末装置は以下のように動作する。
【００３７】
実施形態例の通信端末装置は、ファクシミリ通信機能を備えるとともにＦコード通信機能を備えている。ここで、Ｆコード通信機能とは、通信機械工業会によって制定されたもので、ＩＴＵ−Ｔ勧告Ｔ．３０に定義されたバイナリ信号を使用して、掲示板サービス（ＳＥＰ）、親展サービス（ＳＵＢ）、中継同報サービス（ＳＵＢ）などの通信サービスを提供するものである。
【００３８】
図９はＦコード通信機能を有する通信端末装置Ａ（１１）から通信端末装置Ｂ（１２）に対して掲示板サービスを行った場合のプロトコルの一例である。先ず、呼出し信号により通信端末装置Ａ（１１）が通信端末装置Ｂ（１２）を選択する（ステップＳ１）。
【００３９】
次に、呼出し信号に応答して被呼出装置である通信端末装置Ｂ（１２）は、通信端末装置Ｂ（１２）の機能が勧告Ｔ．３０であることを表す標準信号であるＤＩＳ（デジタル識別信号）を通信端末装置Ａに返信する（ステップＳ２）。このＤＩＳ信号及びＴＣＦ信号、メッセージ情報を除く後述の各信号は勧告Ｔ．３０に定義されたバイナリコード信号であり、勧告Ｖ．２１に定義された変調方式により、３００ＢＰＳの同期モードで伝送される。ここで、掲示板サービスが可能である場合は、返信するＤＩＳ信号の選択ポーリング可／不可を表すＤＩＳ信号のビット４７を”１”（選択ポーリング可）にセットし返信する。
【００４０】
通信端末装置Ｂ（１２）から返信されたＤＩＳ信号を受信し、通信端末装置Ａ（１１）は、掲示板サービスを利用する場合は、オプション信号であるＳＥＰ（選択ポーリング）信号の前述のＦＩＦ（ファクシミリ情報フィールド）に読出ししたいメールボックス番号をセットし通信端末装置Ｂ（１２）に送信する（ステップＳ３）。ここで、メールボックス番号としては、情報の読出しを要求する利用者側である通信端末装置Ａ（１１）と情報の読出しが要求される情報提供者側である通信端末装置Ｂ（１２）との間で何番のメールボックス番号を利用して情報の授受を行うのかを予め決めて置く。
【００４１】
例えば、装置情報としてメールボックス番号１０００番を設定情報、メールボックス番号２０００番を登録情報、メールボックス番号３０００番を通信履歴情報、メールボックス番号４０００番を各種カウンタ情報と予め決めて置く。このメールボックス番号は、情報の読出しを要求する通信端末装置Ａ（１１）の操作パネルからキー入力することにより指定することができる。
【００４２】
また、同ステップＳ３において、通信端末装置Ｂ（１２）から返信されたＤＩＳ信号に対し、ＤＴＣ（デジタル送信命令）信号を通信端末装置Ｂ（１２）に送信する。そして、掲示板サービスを利用する場合、このＤＴＣ信号の選択ポーリング可／不可を表すビット４７を”１”（選択ポーリング可）にセットし送信する。
【００４３】
ステップＳ３にてＤＴＣ信号が送信されて来た場合、通信端末装置Ｂ（１２）は機能の設定を命令するＤＣＳ（デジタル命令信号）を通信端末装置Ａ（１１）に返信する（ステップＳ４）。次に、通信端末装置Ｂ（１２）はトレーニングを確かめ、その伝送速度でチャネルが使用できるかどうかを確かめるためのＴＣＦ（トレーニングチェック）信号を勧告Ｖ．２９、Ｖ．２７またはＶ．１７などの変調方式にて送出する（ステップＳ５）。
【００４４】
そしてＴＣＦ信号を受信した後、通信端末装置Ａ（１１）はメッセージ前手順がすべて終了し、メッセージ送信を開始してよいことを確認するＣＦＲ（受信準備確認）信号を通信端末装置Ｂ（１２）に送信する（ステップＳ６）。
【００４５】
ＣＦＲ信号を受信した通信端末装置Ｂ（１２）は勧告Ｔ．４に規定される符号化方式により圧縮したメッセージ情報を勧告Ｖ．２９、Ｖ．２７またはＶ．１７などの変調方式にて送出する（ステップＳ７）。
【００４６】
ここで、送信するメッセージ情報としては、通常はイメージ読取部５にて読取ったイメージデータを送出するが、ステップＳ３にて通信端末装置Ａ（１１）からＳＥＰ信号が送信されてきた場合は、ＳＥＰ信号にて指定されたメールボックス番号から読出し要求されている装置情報の種別を判定し、判定した装置情報を後述する方法によりドットイメージに展開し、勧告Ｔ．４に規定される符号化方式により圧縮データに変換して生成し送出する。
【００４７】
例えば、前述のようにメールボックス番号１０００番を設定情報、メールボックス番号２０００番を登録情報、メールボックス番号３０００番を通信履歴情報、メールボックス番号４０００番を各種カウンタ情報と予め決めておいた場合では、ＳＥＰ信号にて１０００番がメールボックス番号として設定されたときは設定情報を要求されていると判定し後述する方法により設定情報をドットイメージに展開し、勧告Ｔ．４に規定される符号化方式により圧縮データに変換して生成し送出する。
【００４８】
通信端末装置Ｂ（１２）はメッセージ情報をすべて送出した後、ファクシミリ情報の１枚の終わりを示し以降のメッセージ情報がないことを示すＥＯＰ（手順終了）信号を送出する（ステップＳ８）。
【００４９】
通信端末装置Ａ（１１）はＥＯＰ信号を受信すると、すべてのメッセージ情報受信され追加メッセージを送信しても良いことを表すＭＣＦ（メッセージ確認）信号を通信端末装置Ｂ（１２）に送出する（ステップＳ９）。
【００５０】
そして、通信端末装置Ｂ（１２）は呼切断を命令するＤＣＮ（切断命令）信号を通信端末装置Ａ（１１）に送信して回線を切断する（ステップＳ１０）。
【００５１】
図１０は、前述ステップ７にて送出される被呼出側である通信端末装置Ｂのメッセージ情報の生成手順のフローチャートであり、図１１はメッセージ情報として設定情報を本生成手順により生成し印刷した例を示している。
【００５２】
先ず、何行目の設定情報の編集を行っているのかを示すカウンタである行カウンタを”１”に初期化する（ステップＳ２０）。次に、１行分編集バッファ２４を全て２０Ｈ（スペース）で初期化する（ステップＳ２１）。
【００５３】
次に、メッセージテーブル２１から、行カウンタ値に対応した行数目に該当するメッセージを取出し、１行分編集バッファ２４にコピーする（ステップＳ２２）。メッセージテーブル２１には、図４に示したように図２の設定情報の最初の情報である”０１  ＲＥＤＩＡＬ  ＴＲＩＥＳ”が格納されているので、このメッセージテーブル２１の各情報が１行分編集バッファ２４にコピーされ図７のように格納される。
【００５４】
次に、行カウンタ値に対応する行数目の設定値を取出し、その設定値の表示文字に該当するＡＳＣＩＩコードに変換し、１行分編集バッファ２４の所定の位置にＡＳＣＩＩコードにより書き込む（ステップＳ２３）。この場合、１行目の設定情報（リダイヤル回数）の設定値は図６のＣ番地に格納された設定値０３Ｈ（”３回”）であるので、”３”のＡＳＣＩＩコード３３Ｈを所定の位置に格納する。
【００５５】
次に、フォント上の主走査何ライン目の編集を行っているのかを示すラインカウンタを”１”に初期化する（ステップＳ２４）。そして、１ラインバッファ２５を全て白ドット（００Ｈ）で初期化する（ステップＳ２５）。
【００５６】
次に、１行分編集バッファ２４に格納されている設定情報及び設定値のＡＳＣＩＩコードに対応するフォントテーブル２２からラインカウンタ値で示される主走査ライン目のドットデータを取出し、１ラインバッファ２５に順次格納する（ステップＳ２６）。この場合、図８に示したように１ラインバッファ２５に１ラインのデータが格納される。
【００５７】
次に、１ラインバッファ２５のドットデータを勧告Ｔ．４で規定された符号化方式であるＭＨやＭＲなどの符号化データに変換し、変換したデータをモデム７に書き込み、ＮＣＵ８を経由して呼出側の通信端末装置Ａ（１１）へ送出する（ステップＳ２７）。そして、１ラインの編集を終了した後、ラインカウンタをインクリメントする（ステップＳ２８）。
【００５８】
次に、ラインカウンタ値の値を判定する（ステップＳ２９）。ラインカウンタ値の値が８以下の場合は、フォントデータの取出しが終了していないので、ステップＳ２５に戻り、次の主走査ラインのドットデータの取出し処理を行う。
【００５９】
一方、ラインカウンタ値が８より大きい場合は、フォントデータの取出しが終了しているので次のステップＳ３０へ進む。
【００６０】
そして、１つの設定項目の編集が終了する毎に行カウンタをインクリメントする（ステップＳ３０）。次に、行カウンタの判定を行う（ステップＳ３１）。本例では設定情報がリダイヤル回数（２０ａ）、リダイヤルの間隔設定（２０ｂ）、ダイヤル信号設定（２０ｃ）、ダイヤル回線設定（２０ｄ）の４行であるので、行カウンタ値が４かどうかの判定を行う。行カウンタ値が４以下の場合は、設定情報全てのイメージデータへの展開が終了していないので、ステップＳ２１に戻り、次の設定情報について同様の処理を行いイメージデータに展開する。一方、設定Ｎカウンタが４より大きい場合は、設定情報全てのイメージデータへの展開が全て終了しているのでメッセージ情報の送出を終了する。
【００６１】
一方、通信端末装置装置Ｂ（１２）は、通常のメッセージ情報の受信と同様にＭＨやＭＲなどの符号化データとして受信した前記メッセージ情報をドットデータに変換し、印刷部６に送り、図１１に示したような印刷出力を得る。
【００６２】
以上、説明した手順により、操作者は通信端末装置Ａ（１１）から要求した通信端末装置Ｂ（１２）の装置情報を通常のメッセージ情報として印刷して入手することができる。
【００６３】
《その他の変形例》
以上述べた実施形態例の他、以下の変形例の実施形態としても本発明の同様の作用、効果が得られる。すなわち、
【００６４】
（１）実施形態例の通信端末装置の説明ではファクシミリ装置として説明したが、ファクシミリ機能としてＦコード通信機能の掲示板サービス機能を有するパーソナルコンピュータ等にも本発明を適用することができる。
【００６５】
（２）また、実施形態例の通信端末装置の説明では、通信端末情報を印刷機能により印刷する例を示したが、操作パネル等に設置された表示部に表示するようにしてもよい。
【００６６】
（３）さらに、実施形態例の通信端末装置の説明では、呼出側の通信端末装置へ被呼出側の通信端末装置の装置情報を返信するように説明したが、ＦＩＦ（ファクシミリ情報フィールド）のメールボックス番号に、さらにメッセージ情報を送出する送付先を包含させることにより、呼出側の通信端末装置とは別の通信端末装置に送信させ、印刷或いは表示させることもできる。
【００６７】
【発明の効果】
以上詳細に述べたように、本発明の通信端末装置によれば、装置特有の情報を格納する通信端末装置において、他の通信端末装置からｌＴＵ−Ｔ勧告Ｔ．３０で規定された通信手順により取得できる情報を格納する格納手段を設け、前記装置特有の情報を前記格納手段に格納するようにしたので、操作者は他の通信端末装置の装置情報を印刷或いは表示して簡単に取得することができる。
【図面の簡単な説明】
【図１】実施形態例の通信端末装置の構成図である。
【図２】実施形態例の設定情報の構成例である。
【図３】実施形態例のメッセージ情報編集用メモリの構成図である。
【図４】実施形態例のメッセージテーブルの構成図である。
【図５】実施形態例のフォントテーブルの構成図である。
【図６】実施形態例の設定値格納エリアの構成図である。
【図７】実施形態例の１行分編集バッファの構成図である。
【図８】実施形態例の１ラインバッファの構成図である。
【図９】実施形態例の通信端末装置の通信手順である。
【図１０】実施形態例のメッセージ情報の生成手順のフローチャートである。
【図１１】実施形態例の印刷出力の例示図である。
【図１２】従来の通信端末装置の通信手順である。
【図１３】従来の通信端末装置のＮＳＦ信号のデータフォーマット図である。
【図１４】従来の通信端末装置のＮＳＳ信号のデータフォーマット図である。
【図１５】従来の通信端末装置の装置情報信号のデータフォーマット図である。
【符号の説明】
１      ＣＰＵ
２      バス
３      ＲＯＭ
４      ＲＡＭ
５      イメージ読取部
６      印刷部
７      モデム
８      ＮＣＵ
９      操作パネル
１０    公衆交換電話網
２１    メッセージテーブル
２２    フォントテーブル
２３    設定値格納エリア
２４    １行分編集バッファ
２５    １ラインバッファ
Ｓ７    メッセージ情報送出
【図１】
2005039377.tif 000003
【図２】
2005039377.tif 000004
【図３】
2005039377.tif 000005
【図４】
2005039377.tif 000006
【図５】
2005039377.tif 000007
【図６】
2005039377.tif 000008
【図７】
2005039377.tif 000009
【図８】
2005039377.tif 000010
【図９】
2005039377.tif 000011
【図１０】
2005039377.tif 000012
【図１１】
2005039377.tif 000013
【図１２】
2005039377.tif 000014
【図１３】
2005039377.tif 000015
【図１４】
2005039377.tif 000016
【図１５】
2005039377.tif 000017